(57)【要約】【課題】建物の窓にブラインドが設置されている状態で、新しいブラインドの操作紐を簡単に入れ替えることのできるブラインド操作紐交換用治具セットを提供すること。【解決手段】ブラインド操作紐交換用治具セット１０は、操作紐の外径と略同一又は小さなサイズを有し、操作紐よりも形状保持性が高くかつ可とう性のあるガイド部１２、及びガイド部１２の後端部１２ｃに接続された操作紐と同材料かつ同径の所定長さの接続用紐１４と、を有する操作紐通し治具１１と、ガイド部１２の先端部を係止し、この先端部を係止したまま引き動作可能な所定長の引き掛け治具２０と、を有しており、操作紐通し治具１１のガイド部１２の先端部１２ａは尖状の先端を所定角度曲げた鉤部１２ｂを有し、引き掛け治具２０の先端部は、鉤部１２ｂを係止するための輪状部２０ｂを有する。【選択図】図１
2011144563.tif 000002
【特許請求の範囲】
【請求項１】
操作機構部に挿通された操作紐を操作してスラットの開け・閉め又は巻き上げ・巻き降ろしを行うブラインドの、前記操作紐を新しい操作紐に入れ替えるためのブラインド操作紐交換用治具セットにおいて、
前記操作紐の外径と略同一又は小さなサイズを有し、前記操作紐よりも形状保持性が高くかつ可とう性のあるガイド部と、
前記操作紐と同材料でかつ同径に形成され、前記ガイド部の後端部に接続された所定長さの接続用紐と、を有する操作紐通し治具と、
前記ガイド部の先端部を係止し、該先端部を係止したまま引き動作可能な所定長の引き掛け治具と、
を有することを特徴とするブラインド操作紐交換用治具セット。
【請求項２】
前記操作紐通し治具のガイド部の先端部は、尖状の先端を所定角度曲げた鉤部を有し、
前記引き掛け治具の先端部は、前記鉤部を係止するための輪状部を有することを特徴とする請求項１に記載のブラインド操作紐交換用治具セット。
【請求項３】
前記操作紐のガイド部の先端部には、前記操作機構部とは色相が異なる色が付されていること特徴とする請求項１又は２に記載のブラインド操作紐交換用治具セット。
【発明の詳細な説明】
【技術分野】
【０００１】
本発明は、ブラインド操作紐交換用治具セット、特にブラインドの操作紐を新しく入れ替える時に使用するブラインド操作紐交換用治具セットに関する。
【背景技術】
【０００２】
病院やオフィス等の窓の内側に設けられるブラインドは、窓の上部に配置されるリトラクタケースの下部に、一対の吊り下げ用の紐を介して、多数のスラットが吊り下げ支持されている。各スラットは、ブラインドの操作紐により、開け・閉め、すなわちスラットの傾斜角度を変えることが可能であり、更にリトラクタケースに巻き上げ及びリトラクタケースから巻き降ろすことが可能に構成されている。そのような操作が可能なように、リトラクタケース内には操作機構部が設けられている。この操作機構部内には例えば円筒形状の回転体があり、この回転体の外側を操作紐が通り、回転体が操作紐により回転することにより、上記のスラットの各動作が可能に構成されている。
【０００３】
ブラインドはこのように操作紐により操作することが可能である。ここで、操作紐は、操作機構部内を通る環状の連続体であり、軽く丈夫であることが要求される。しかしながら、操作紐を介して操作機構部に予想以上の力が印加される場合があり、その場合には操作紐が切断する、又は操作機構部が破壊するという不具合が発生する。
【０００４】
特許文献１には、このような操作機構部の構成部品や操作紐等の破損を防ぐためのブラインド用安全装置が開示されている。しかし、ブラインドの操作紐は、樹脂製で製作されており、スラットの開け・閉め又は巻き上げ・巻き降ろしのために頻繁に使用されるので、長年の使用により摩耗して切れることは避けられない。したがって、操作紐が切れた場合は当然のこと、好ましくは定期的に新しい操作紐と入れ替えることが必要である。
【０００５】
ブラインドの操作紐が切れた場合、又は新しい操作紐と入れ替える場合、ブラインドを一旦窓枠から取り外し、メーカーにブラインド毎送り返して新しい操作紐に交換を依頼する場合がある。しかし、メーカーに依頼すると一般に修理に時間が掛かり、場合によっては長期間に及ぶこともある。このような状況下では、ブラインドを窓から取り外しているため、部屋の使用に支障をきたし、替わりのブラインド又はカーテン等を一時的に取り付ける必要がある。そこで、メーカーに送らずに自分で新しい操作紐を購入し、切れた操作紐と交換していた。
【０００６】
自分で修理する場合、古い操作紐若しくは切れた操作紐をブラインドの操作機構部から除去し、この操作機構部内に新しい操作紐を通す作業が必要である。また、操作紐を通し終えた後、操作紐の両端を接続して環状（連続体）に形成する作業も必要である。ここで、操作紐の接続は、操作紐を溶かして接続する熱熱融着法を用いることができる。すなわち、ブラインドの操作紐が樹脂製であるので、操作紐を環状、若しくは連続体にするために半田ごての発する熱を用いて熱融着を行っている。なお、熱融着ではなく、接着剤等により接続しても良い。
【先行技術文献】
【特許文献】
【０００７】
【特許文献１】特開２００９−６２７７８号公報
【発明の概要】
【発明が解決しようとする課題】
【０００８】
自分で修理する場合、購入した新しい操作紐をブラインドの操作機構部に挿入しなければならないが、操作紐は形状保持性が乏しいので、操作紐の操作機構部への挿入が難しく、作業には時間が掛かる。なお、ブラインドを窓から取り外せば、これらの作業をより簡単に行えるものの、ブラインドを窓から取り外すこと、及び窓への再度の取り付けはブラインドが重量物のために煩雑である。
【０００９】
本発明は、上記課題に鑑みてなされたものであり、その目的は、建物の窓にブラインドが設置されている状態で、新しいブラインドの操作紐を簡単に入れ替えることのできるブラインド操作紐交換用治具セットを提供することにある。
【課題を解決するための手段】
【００１０】
上記目的を達成するため、請求項１に記載のブラインド操作紐交換用治具セットは、
操作機構部に挿通された操作紐を操作してスラットの開け・閉め又は巻き上げ・巻き降ろしを行うブラインドの、前記操作紐を新しい操作紐に入れ替えるためのブラインド操作紐交換用治具セットにおいて、
前記操作紐の外径と略同一又は小さなサイズを有し、前記操作紐よりも形状保持性が高くかつ可とう性のあるガイド部と、前記操作紐と同材料でかつ同径に形成され、前記ガイド部の後端部に接続された所定長さの接続用紐と、を有する操作紐通し治具と、前記ガイド部の先端部を係止し、該先端部を係止したまま引き動作可能な所定長の引き掛け治具と、を有することを特徴とする。
【００１１】
この構成によれば、まず、形状保持性及び可とう性のあるガイド部に接続された接続用紐に、新しい操作紐が接続される。操作紐の入れ替え作業において、ガイド部の先端部が操作機構部内に挿入されるが、ガイド部は接続用紐及び操作紐よりも形状保持性が高いので、ブラインドの操作機構部内に容易に挿入することが可能であり、操作機構部内を通ってきたガイド部の先端部は、引き掛け治具により引き掛けられ、引き抜かれることとなる。この引き動作は、新しい操作紐が同材料、かつ同径の接続用紐に接続されているので、スムーズに行うことが可能である。したがって、ブラインドを窓に取り付けた状態で、新しい操作紐の入れ替え作業を短時間で容易に行うことが可能である。
【００１２】
請求項２に記載のブラインド操作紐交換用治具セットは、請求項１に記載のブラインド操作紐交換用治具セットにおいて、
前記操作紐通し治具のガイド部の先端部は、尖状の先端を所定角度曲げた鉤部を有し、前記引き掛け治具の先端部は、前記鉤部を係止するための輪状部を有することを特徴とする。したがって、簡単かつ安価な構造で引き掛け治具を構成することが可能である。これにより、操作紐の交換作業の時間及び費用を削減することが可能となる。
【００１３】
請求項３に記載のブラインド操作紐交換用治具セットは、請求項１又は２に記載のブラインド操作紐交換用治具セットにおいて、
前記操作紐のガイド部の先端部には、前記操作機構部とは色相が異なる色が付されていること特徴とするしたがって、ガイド部の先端部を操作機構部内に挿入して操作機構部内から出てくる先端部を、容易かつ確実に視認することができるので、操作紐の入れ替え作業を迅速に行うことを可能とする。
【発明の効果】
【００１４】
本発明のブラインド操作紐交換用治具セットによれば、ブラインドを窓に取り付けた状態で、新しい操作紐をブラインドの操作機構部に簡単に挿通することが可能である。したがって、ブラインドの操作紐の修理のために窓からブラインドを取り外す必要はなく、操作紐の入れ替えに掛かる費用及び入れ替えの作業時間を低減することが可能である。したがって、交換作業のためにブラインドが取り付けられている部屋の使用に支障を来すことはない。
【図面の簡単な説明】
【００１５】
【図１】本発明のブラインド操作紐交換用治具セットの概略斜視図であり、同図（ａ）は操作紐通し治具、同図（ｂ）は引き掛け治具についてである。
【図２】本発明のブラインド操作紐交換用治具セットの実施の形態に係り、交換作業の一例を示す説明図である。
【図３】本発明のブラインド操作紐交換用治具セットの実施の形態に係り、操作紐を熱融着して環状にする作業の説明図である。
【発明を実施するための形態】
【００１６】
本発明の実施の形態を、以下図面を参照しながら詳述する。図１は、ブラインド操作紐交換用治具セットの概略斜視図であり、同図（ａ）は操作紐通し治具、同図（ｂ）は引き掛け治具についてである。ブラインド操作紐交換用治具セットは、操作紐通し治具１１と引き掛け治具２０とを有する。
【００１７】
操作紐通し治具１１は、ガイド部１２とガイド部１２の終端部１２ｃに接続される接続用紐１４とを有する。
【００１８】
ガイド部１２は、市販されている結束バンドを加工したものである。ガイド部１２は、入れ替えるべき新しい操作紐及び接続用紐１４の直径と略同一又は小さなサイズを有し、帯状に構成され、樹脂材料で製作されている。したがって、操作紐よりは、高い形状保持性を有し、かつ可とう性を有している。ガイド部１２の先端部１２ａには尖状の先端を所定角度曲げた鉤部１２ｂが形成されており、ガイド部１２の終端部１２ｃは、接続用紐１４と熱融着されて結合部１６が形成されている。更に、ガイド部１２の先端部１２ａの裏表面は、ブラインドの操作機構部内でガイド部１２がスムーズに移動できるように、表面が滑らかに形成されている。
【００１９】
接続用紐１４は、樹脂で形成された新しい操作紐の一部を切断して製作したものである。一端は前述のようにガイド部１２の終端部１２ｃに接続され、他端は新しい操作紐と接続する接続部１８となっている。したがって、この接続用紐１４に新しい操作紐を接続することは、新しい操作紐が異種材料、異種形状のガイド部１２ではなく、同材料で同径の所定長さの接続用紐１４に接続されるので、熱融着によって簡単かつ安価に行うことができる。また、接続用紐１４の、ガイド部１２の終端部１２ｃ及び新しい操作紐との接続部分の外径は、熱により成形することが可能であるので、それらの接続した部分が、操作機構部内で詰まることはなく、円滑に操作機構部内を通過することが可能である。なお、熱融着は半田ごての熱を用いて、接続用紐１４及び新しい操作紐の端部を溶かして簡単に行うことが可能である。
【００２０】
ガイド部１２が形状保持性の高い樹脂で製作され、先端部１２ａに鉤部１２ｂが形成され、先端部１２ａ裏表面が滑らかに形成されているので、ガイド部１２の先端部１２ａをブラインドの操作機構部内に挿入したときに、内部の機構部をスムーズに通って、操作機構部内から先端部１２が容易に出て来ることが可能になっている。また、ガイド部１２の先端部１２ａには操作機構部と異なる色相の色を付したので、操作機構部から出て来た先端部１２ａを簡単かつ確実に視認することが可能である。
【００２１】
また、前述のように、接続用紐１４とガイド部１２の終端部１２ｃとの接続も熱融着により行っているが、この場合はガイド部１２の融点は接続用紐１４及び新しい操作紐の融点よりも高いので、半田ごてを用いた熱融着による接続において、ガイド部１２の終端部１２ｃが溶けて変形することはない。なお、この部分の接続は、熱融着ではなく接着剤を用いても良い。
【００２２】
ここで、接続用紐１４を用いずに、新しい操作紐をガイド部１２の終端部１２ｃに直接に熱融着することも考えられるが、この場合、熱融着を簡単かつ素早く行うことが難しい。また、接続できても、接続した箇所の外径が成形できない場合、若しくは成形できたとしても操作紐と同径若しくはそれより細くすることができない場合には、接続した箇所が操作機構部内に詰まることが懸念される。したがって、本発明においては、ガイド部１２に接続用紐１４が熱融着され、この接続用紐１４に新しい操作紐を熱融着する構成により、操作機能部内をガイド部及び新しい操作紐がスムーズに通ることとなり、操作紐の交換作業の時間を削減することができることとなる。
【００２３】
また、ガイド部１２は、前述のように、市販の結束バンドを利用しているが、この結束バンドの本来の使用方法は、ガイド部１２の先端部１２ａをガイド部１２の終端部１２ｃに形成されている穴部に挿入して環を形成し、この環により物等を結束するものであるが、本発明では、この様な利用はしない。なお、ガイド部１２の終端部１２ｃに形成されている穴部は接続用紐１４を確実に熱融着するために、そのまま用いている。
【００２４】
引き掛け治具２０は、鋼線を利用して製作されている。棒状体の本体部２０ａと、この本体部２０ａの先端に形成した輪状部２０ｂを有する。鋼線であるので、先端を簡単に輪状に形成することが可能である。輪状部２０ｂの輪の形状は略矩形状とした。その短辺は、ブラインドの操作機構に挿入され再び出てくるガイド部１２の先端部１２ａを引き掛けて、引き抜くことが効率良く行えるように、先端部１２ａの鉤部１２ｂ横幅と略同一若しくは少し大きめであり、その長辺は、短辺の略２倍とした。この構成により、ガイド部１２の先端部１２ａに形成された鉤部１２ｂを確実に引き掛け、引き抜くことが容易である。
【００２５】
本体部２０ａの輪状部２０ｂと反対側の端部には、操作部２０ｃが形成されている。これは、鋼線の端部を円形状に形成したものであり、これにより、鋼線の端部が手等に刺さることを防止すると共に、引き掛け治具２０の取り扱いを容易にしている。
【００２６】
図２は、本発明のブラインド操作紐交換用治具セット１０の使用の一例を示す説明図である。建物の窓枠の上部にブラインド２２が取り付けられており、古い操作紐をブラインド２２から取り除いて、新しい操作紐２８に入れ替える様子を示している。なお、複数枚のスラットは省略して図示している。
【００２７】
新しい操作紐２８は、操作紐通し治具１１の接続用紐１４の端部の接続部１８に熱融着されており、その熱融着部２６の外径は接続用紐１４及び新しい操作紐２８の外径と略同一に成形されている。これにより、熱融着部２６がブラインド２２の操作機構部２４内で詰まることが防止される。また、図２は操作紐通し治具１１のガイド部１２の先端部１２ａを、ブラインド２２の操作機構部２４に挿入し、内部の回転体を回って、先端部１２ａに形成された鉤部１２ｂが操作機構部２４から出で来た様子を示している。
【００２８】
この出て来た鉤部１２ｂに、引き掛け治具２０の輪状部２０ｂを引き掛けて、そのまま引き抜くと、新しい操作紐２８がブラインド２２の操作機構部２４内に挿通されることとなる。その後、新しい操作紐２８を所定の長さで切断し、切断した両端を熱融着する。
【００２９】
図３は、切断した新しい操作紐の両端を熱融着する作業の様子を示す。半田ごて３０は、半田ごて固定装置３２により窓枠３４に対して、適切な位置・姿勢で保持・固定されている。半田ごて固定装置３２は、ブラインドが取り付けられている窓枠３４に、クリップ３６により固定できるように構成されている。なお、半田ごてもクリップ３８により半田ごて固定装置３２に固定できるように構成されている。
【００３０】
新しい操作紐２８の両端を手で持ち、半田ごての発熱体を覆っている部分に押し当て、熱により溶かして接続する。その後、熱融着した部分の外径を、熱融着していない部分の外径と略同一にして作業が終了する。
【００３１】
したがって、上記の実施の形態のブラインド操作紐交換用治具セット１０によれば、ブラインド２２を窓枠３４に取り付けた状態で、新しい操作紐２８をブラインド２２の操作機構部２４に簡単に挿通し、簡単に入れ替えることが可能である。したがって、ブラインドの操作紐の修理のために窓からブラインドを取り外してメーカーに送り返す必要はなく、自分で簡単かつ短時間に修理できるので、操作紐の入れ替えに掛かる費用及び入れ替えの作業時間を低減するこが可能である。作業時間が短時間で済むために、ブラインドが取り付けられている部屋の使用に支障を来すこともない。
【００３２】
なお、本発明は上述の実施の形態に限定されるものではなく、本発明の趣旨を逸脱しない範囲で種々の変更が可能である。例えば、ガイド部は市販の結束バンドを利用したが、樹脂等で専用のものを製作しても良い。
【産業上の利用可能性】
【００３３】
本発明のブラインド操作紐交換用治具セット１０は、形状保持性及び可とう性のあるガイド部１２に接続用紐１４を接続し、この接続用紐１４に新しい操作紐２８を接続し、ガイド部１２をブラインド２２の操作機構部２４に挿入して、新しい操作紐を操作機構部に通すものである。この構成を、ブラインドの操作紐に限らず、例えば電線等の形状保持性の低い紐状体に適用することが可能である。
【符号の説明】
【００３４】
１０  ブラインド操作紐交換用治具セット
１１  操作紐通し治具
１２  ガイド部
１２ａ  先端部
１２ｂ  鉤部
１２ｃ  終端部
１４  接続用紐
１６  結合部
１８  接続部
２０  引き掛け治具
２０ａ  棒状体（本体部）
２０ｂ  輪状部
２０ｃ  操作部
２２  ブラインド
２４  操作機構部
２６  熱融着部
２８  新しい操作紐
３０  半田ごて
３２  半田ごて固定装置
３４  窓枠
３６、３８  クリップ
【図１】
2011144563.tif 000003
【図２】
2011144563.tif 000004
【図３】
2011144563.tif 000005